(57)【要約】  ワイヤレス通信システムにおけるデバイスツーデバイス発見動作のためのシグナリングプロトコルのための方法、システム、およびデバイスであり説明する。ユーザ機器（ＵＥ）が、第１の周波数帯域中の第１の周波数を使用してサービング基地局と通信していることがある。ＵＥは、発見スキャン間隔中に第２の周波数帯域中の第２の周波数上で、発見スキャンプロシージャを実行することに関連する情報をサービング基地局に送信し得る。第１の周波数は第２の周波数とは異なり得る。ＵＥは、発見スキャン間隔中にサービング基地局からの１つまたは複数のダウンリンク送信をスキップする能力を識別し得る。【選択図】図２
2018513619.tif 000002
【特許請求の範囲】
【請求項１】
ユーザ機器（ＵＥ）におけるワイヤレス通信のための方法であって、
第１の周波数帯域中の第１の周波数を使用してサービング基地局と通信することと、
発見スキャン間隔中に第２の周波数帯域中の第２の周波数上で、発見スキャンプロシージャを実行することに関連する情報を、前記サービング基地局に送信すること、前記第２の周波数は、前記第１の周波数とは異なる、と、
前記発見スキャン間隔中に前記サービング基地局からの１つまたは複数のダウンリンク送信をスキップする能力を識別することと
を備える、方法。
【請求項２】
前記発見スキャン間隔中に前記第２の周波数にチューンすることと、
前記発見スキャン間隔中に前記サービング基地局からの前記１つまたは複数のダウンリンク送信をスキップすることと
をさらに備える、請求項１に記載の方法。
【請求項３】
前記サービング基地局から応答を受信することと、
前記受信された応答に少なくとも部分的に基づいて、前記発見スキャン間隔中に前記サービング基地局からの前記１つまたは複数のダウンリンク送信の少なくとも一部分をスキップすることと
をさらに備える、請求項１に記載の方法。
【請求項４】
前記応答は、前記発見スキャン間隔中に前記サービング基地局からの前記１つまたは複数のダウンリンク送信の前記少なくとも一部分をスキップする許可を備える、
請求項３に記載の方法。
【請求項５】
前記受信された応答に少なくとも部分的に基づいて、前記発見スキャン間隔中に前記サービング基地局からの前記１つまたは複数のダウンリンク送信の第１の部分をスキップすることと、
前記受信された応答に少なくとも部分的に基づいて、前記発見スキャン間隔中に前記サービング基地局からの前記１つまたは複数のダウンリンク送信の第２の部分を受信することと
をさらに備える、請求項３に記載の方法。
【請求項６】
前記応答は、前記サービング基地局からの前記１つまたは複数のダウンリンク送信に関連するビットマップを備え、前記ビットマップは、前記ＵＥがスキップすることを可能にされる前記１つまたは複数のダウンリンク送信の第１の部分と、前記ＵＥがスキップすることを可能にされない前記１つまたは複数のダウンリンク送信の第２の部分とを識別する、
請求項３に記載の方法。
【請求項７】
前記発見スキャン間隔に関連するタイミング情報を前記サービング基地局に送ることをさらに備える、
請求項１に記載の方法。
【請求項８】
前記タイミング情報は、前記ＵＥが前記サービング基地局からの前記１つまたは複数のダウンリンク送信をスキップする、１つまたは複数のサブフレームの識別情報を備える、
請求項７に記載の方法。
【請求項９】
前記サービング基地局と、前記発見スキャンプロシージャに関連する前記発見信号を送信する別のデバイスとの間のタイミング差に基づいて、前記１つまたは複数のサブフレームを選択することをさらに備える、
請求項８に記載の方法。
【請求項１０】
前記第２の周波数帯域にチューンすることおよびそれからチューンアウェイすることに関連するタイミングパラメータを決定することと、
前記タイミングパラメータを考慮すべき前記１つまたは複数のサブフレームを選択することと
をさらに備える、請求項８に記載の方法。
【請求項１１】
前記サービング基地局は、第１のネットワークに関連し、前記発見スキャンプロシージャが第２のネットワークに関連し、前記第１のネットワークが前記第２のネットワークとは異なる、
請求項１に記載の方法。
【請求項１２】
前記発見スキャンプロシージャは、デバイスツーデバイス発見プロシージャである、
請求項１に記載の方法。
【請求項１３】
ワイヤレス通信のための装置であって、
プロセッサと、
前記プロセッサと電子通信しているメモリと、
前記メモリに記憶された命令と
を備え、前記命令は、
第１の周波数帯域中の第１の周波数を使用してサービング基地局と通信することと、
発見スキャン間隔中に第２の周波数帯域中の第２の周波数上で、発見スキャンプロシージャを実行することに関連する情報を、前記サービング基地局に送信すること、前記第２の周波数は、前記第１の周波数とは異なる、と、
前記発見スキャン間隔中に前記サービング基地局からの１つまたは複数のダウンリンク送信をスキップする能力を識別することと
を行うために前記プロセッサによって実行可能である、装置。
【請求項１４】
前記発見スキャン間隔中に前記第２の周波数にチューンすることと、
前記発見スキャン間隔中に前記サービング基地局からの前記１つまたは複数のダウンリンク送信をスキップすることと
を行うために前記プロセッサによって実行可能な命令をさらに備える、請求項１３に記載の装置。
【請求項１５】
前記サービング基地局から応答を受信することと、
前記受信された応答に少なくとも部分的に基づいて、前記発見スキャン間隔中に前記サービング基地局からの前記１つまたは複数のダウンリンク送信の少なくとも一部分をスキップすることと
を行うために前記プロセッサによって実行可能な命令をさらに備える、請求項１３に記載の装置。
【請求項１６】
前記応答は、前記発見スキャン間隔中に前記サービング基地局からの前記１つまたは複数のダウンリンク送信の前記少なくとも一部分をスキップする許可を備える、
請求項１５に記載の装置。
【請求項１７】
前記受信された応答に少なくとも部分的に基づいて、前記発見スキャン間隔中に前記サービング基地局からの前記１つまたは複数のダウンリンク送信の第１の部分をスキップすることと、
前記受信された応答に少なくとも部分的に基づいて、前記発見スキャン間隔中に前記サービング基地局からの前記１つまたは複数のダウンリンク送信の第２の部分を受信することと
を行うために前記プロセッサによって実行可能な命令をさらに備える、請求項１５に記載の装置。
【請求項１８】
前記応答は、前記サービング基地局からの前記１つまたは複数のダウンリンク送信に関連するビットマップを備え、前記ビットマップは、前記ＵＥがスキップすることを可能にされる前記１つまたは複数のダウンリンク送信の第１の部分と、前記ＵＥがスキップすることを可能にされない前記１つまたは複数のダウンリンク送信の第２の部分とを識別する、
請求項１５に記載の装置。
【請求項１９】
前記発見スキャン間隔に関連するタイミング情報を前記サービング基地局に送ることを行うために前記プロセッサによって実行可能な命令をさらに備える、
請求項１３に記載の装置。
【請求項２０】
前記タイミング情報は、前記ＵＥが前記サービング基地局からの前記１つまたは複数のダウンリンク送信をスキップする、１つまたは複数のサブフレームの識別情報を備える、
請求項１９に記載の装置。
【請求項２１】
前記サービング基地局と、前記発見スキャンプロシージャに関連する前記発見信号を送信する別のデバイスとの間のタイミング差に基づいて、前記１つまたは複数のサブフレームを選択することを行うために前記プロセッサによって実行可能な命令をさらに備える、
請求項２０に記載の装置。
【請求項２２】
前記第２の周波数帯域にチューンすることおよびそれからチューンアウェイすることに関連するタイミングパラメータを決定することと、
前記タイミングパラメータを考慮すべき前記１つまたは複数のサブフレームを選択することと
を行うために前記プロセッサによって実行可能な命令をさらに備える、請求項２０に記載の装置。
【請求項２３】
前記サービング基地局は、第１のネットワークに関連し、前記発見スキャンプロシージャは、第２のネットワークに関連し、前記第１のネットワークは、前記第２のネットワークとは異なる、
請求項１３に記載の装置。
【請求項２４】
前記発見スキャンプロシージャは、デバイスツーデバイス発見プロシージャである、
請求項１３に記載の装置。
【請求項２５】
ワイヤレス通信のための装置であって、
第１の周波数帯域中の第１の周波数を使用してサービング基地局と通信するための手段と、
発見スキャン間隔中に第２の周波数帯域中の第２の周波数上で、発見スキャンプロシージャを実行することに関連する情報を、前記サービング基地局に送信するための手段、前記第２の周波数は、前記第１の周波数とは異なる、と、
前記発見スキャン間隔中に前記サービング基地局からの１つまたは複数のダウンリンク送信をスキップする能力を識別するための手段と
を備える、装置。
【請求項２６】
前記発見スキャン間隔中に前記第２の周波数にチューンするための手段と、
前記発見スキャン間隔中に前記サービング基地局からの前記１つまたは複数のダウンリンク送信をスキップするための手段と
をさらに備える、請求項２５に記載の装置。
【請求項２７】
前記サービング基地局から応答を受信するための手段と、
前記受信された応答に少なくとも部分的に基づいて、前記発見スキャン間隔中に前記サービング基地局からの前記１つまたは複数のダウンリンク送信の少なくとも一部分をスキップするための手段と
をさらに備える、請求項２５に記載の装置。
【請求項２８】
前記応答は、前記発見スキャン間隔中に前記サービング基地局からの前記１つまたは複数のダウンリンク送信の前記少なくとも一部分をスキップする許可を備える、
請求項２７に記載の装置。
【請求項２９】
前記受信された応答に少なくとも部分的に基づいて、前記発見スキャン間隔中に前記サービング基地局からの前記１つまたは複数のダウンリンク送信の第１の部分をスキップするための手段と、
前記受信された応答に少なくとも部分的に基づいて、前記発見スキャン間隔中に前記サービング基地局からの前記１つまたは複数のダウンリンク送信の第２の部分を受信するための手段と
をさらに備える、請求項２７に記載の装置。
【請求項３０】
前記応答は、前記サービング基地局からの前記１つまたは複数のダウンリンク送信に関連するビットマップを備え、前記ビットマップは、前記ＵＥがスキップすることを可能にされる前記１つまたは複数のダウンリンク送信の第１の部分と、前記ＵＥがスキップすることを可能にされない前記１つまたは複数のダウンリンク送信の第２の部分とを識別する、
請求項２７に記載の装置。
【請求項３１】
前記発見スキャン間隔に関連するタイミング情報を前記サービング基地局に送るための手段をさらに備える、
請求項２５に記載の装置。
【請求項３２】
前記タイミング情報は、前記ＵＥが前記サービング基地局からの前記１つまたは複数のダウンリンク送信をスキップする、１つまたは複数のサブフレームの識別情報を備える、
請求項３１に記載の装置。
【請求項３３】
前記サービング基地局と、前記発見スキャンプロシージャに関連する前記発見信号を送信する別のデバイスとの間のタイミング差に基づいて、前記１つまたは複数のサブフレームを選択するための手段をさらに備える、
請求項３２に記載の装置。
【請求項３４】
前記第２の周波数帯域にチューンすることおよびそれからチューンアウェイすることに関連するタイミングパラメータを決定するための手段と、
前記タイミングパラメータを考慮すべき前記１つまたは複数のサブフレームを選択するための手段と
をさらに備える、請求項３２に記載の装置。
【請求項３５】
前記サービング基地局は、第１のネットワークに関連し、前記発見スキャンプロシージャは、第２のネットワークに関連し、前記第１のネットワークは、前記第２のネットワークとは異なる、
請求項２５に記載の装置。
【請求項３６】
前記発見スキャンプロシージャは、デバイスツーデバイス発見プロシージャである、
請求項２５に記載の装置。
【請求項３７】
ワイヤレス通信のためのコードを記憶する非一時的コンピュータ可読媒体であって、前記コードが、
第１の周波数帯域中の第１の周波数を使用してサービング基地局と通信することと、
発見スキャン間隔中に第２の周波数帯域中の第２の周波数上で、発見スキャンプロシージャを実行することに関連する情報を、前記サービング基地局に送信すること、前記第２の周波数は、前記第１の周波数とは異なる、と、
前記発見スキャン間隔中に前記サービング基地局からの１つまたは複数のダウンリンク送信をスキップする能力を識別することと
を行うためにプロセッサによって実行可能な命令を備える、非一時的コンピュータ可読媒体。
【請求項３８】
前記発見スキャン間隔中に前記第２の周波数にチューンすることと、
前記発見スキャン間隔中に前記サービング基地局からの前記１つまたは複数のダウンリンク送信をスキップすることと
を行うために前記プロセッサによって実行可能な命令をさらに備える、請求項３７に記載の非一時的コンピュータ可読媒体。
【請求項３９】
前記サービング基地局から応答を受信することと、
前記受信された応答に少なくとも部分的に基づいて、前記発見スキャン間隔中に前記サービング基地局からの前記１つまたは複数のダウンリンク送信の少なくとも一部分をスキップすることと
を行うために前記プロセッサによって実行可能な命令をさらに備える、請求項３７に記載の非一時的コンピュータ可読媒体。
【請求項４０】
サービンング基地局におけるワイヤレス通信のための方法であって、
第１の周波数帯域中の第１の周波数を使用してユーザ機器（ＵＥ）と通信することと、
発見スキャン間隔中に第２の周波数帯域中の第２の周波数上で、前記ＵＥが発見スキャンプロシージャを実行することに関連する情報を、前記ＵＥから受信すること、前記第２の周波数は、前記第１の周波数とは異なる、と、
前記ＵＥが前記発見スキャン間隔中に１つまたは複数のダウンリンク送信をスキップすることを可能にされるかどうかを示す応答を、前記ＵＥに送ることと
を備える、方法。
【請求項４１】
前記ＵＥが前記発見スキャン間隔中に前記１つまたは複数のダウンリンク送信をスキップすることが可能であることを示す能力メッセージを、前記ＵＥから受信することをさらに備える、
請求項４０に記載の方法。
【請求項４２】
前記応答は、前記ＵＥが前記発見スキャン間隔中にスキップすることを可能にされる前記１つまたは複数のダウンリンク送信の第１の部分を識別する、
請求項４０に記載の方法。
【請求項４３】
前記応答は、前記ＵＥが前記発見スキャン間隔中にスキップすることを可能にされない前記１つまたは複数のダウンリンク送信の第２の部分を識別する、
請求項４２に記載の方法。
【請求項４４】
前記ＵＥから前記発見スキャン間隔に関連するタイミング情報を受信することをさらに備える、
請求項４０に記載の方法。
【請求項４５】
ワイヤレス通信のための装置であって、
プロセッサと、
前記プロセッサと電子通信しているメモリと、
前記メモリに記憶された命令と
を備え、前記命令は、
第１の周波数帯域中の第１の周波数を使用してユーザ機器（ＵＥ）と通信することと、
発見スキャン間隔中に第２の周波数帯域中の第２の周波数上で、前記ＵＥが発見スキャンプロシージャを実行することに関連する情報を、前記ＵＥから受信すること、前記第２の周波数は、前記第１の周波数とは異なる、と、
前記ＵＥが前記発見スキャン間隔中に１つまたは複数のダウンリンク送信をスキップすることを可能にされるかどうかを示す応答を、前記ＵＥに送ることと
を行うために前記プロセッサによって実行可能である、装置。
【請求項４６】
前記ＵＥが前記発見スキャン間隔中に前記１つまたは複数のダウンリンク送信をスキップすることが可能であることを示す能力メッセージを、前記ＵＥから受信することを行うために前記プロセッサによって実行可能な命令をさらに備える、
請求項４５に記載の装置。
【請求項４７】
前記応答は、前記ＵＥが前記発見スキャン間隔中にスキップすることを可能にされる前記１つまたは複数のダウンリンク送信の第１の部分を識別する、
請求項４５に記載の装置。
【請求項４８】
前記応答は、前記ＵＥが前記発見スキャン間隔中にスキップすることを可能にされない前記１つまたは複数のダウンリンク送信の第２の部分を識別する、
請求項４７に記載の装置。
【請求項４９】
前記ＵＥから前記発見スキャン間隔に関連するタイミング情報を受信することを行うために前記プロセッサによって実行可能な命令をさらに備える、
請求項４５に記載の装置。
【請求項５０】
ワイヤレス通信のための装置であって、
第１の周波数帯域中の第１の周波数を使用してユーザ機器（ＵＥ）と通信するための手段と、
発見スキャン間隔中に第２の周波数帯域中の第２の周波数上で、前記ＵＥが発見スキャンプロシージャを実行することに関連する情報を、前記ＵＥから受信するための手段、前記第２の周波数は、前記第１の周波数とは異なる、と、
前記ＵＥが前記発見スキャン間隔中に１つまたは複数のダウンリンク送信をスキップすることを可能にされるかどうかを示す応答を、前記ＵＥに送るための手段と
を備える、装置。
【請求項５１】
前記ＵＥが前記発見スキャン間隔中に前記１つまたは複数のダウンリンク送信をスキップすることが可能であることを示す能力メッセージを、前記ＵＥから受信するための手段をさらに備える、
請求項５０に記載の装置。
【請求項５２】
前記応答は、前記ＵＥが前記発見スキャン間隔中にスキップすることを可能にされる前記１つまたは複数のダウンリンク送信の第１の部分を識別する、
請求項５０に記載の装置。
【請求項５３】
前記応答は、前記ＵＥが前記発見スキャン間隔中にスキップすることを可能にされない前記１つまたは複数のダウンリンク送信の第２の部分を識別する、
請求項５２に記載の装置。
【請求項５４】
前記ＵＥから前記発見スキャン間隔に関連するタイミング情報を受信するための手段をさらに備える、
請求項５０に記載の装置。
【請求項５５】
ワイヤレス通信のためのコードを記憶する非一時的コンピュータ可読媒体であって、前記コードは、
第１の周波数帯域中の第１の周波数を使用してユーザ機器（ＵＥ）と通信することと、
発見スキャン間隔中に第２の周波数帯域中の第２の周波数上で、前記ＵＥが発見スキャンプロシージャを実行することに関連する情報を、前記ＵＥから受信すること、前記第２の周波数は、前記第１の周波数とは異なる、と、
前記ＵＥが前記発見スキャン間隔中に１つまたは複数のダウンリンク送信をスキップすることを可能にされるかどうかを示す応答を、前記ＵＥに送ることと
を行うためにプロセッサによって実行可能な命令を備える、非一時的コンピュータ可読媒体。
【発明の詳細な説明】
【相互参照】
【０００１】
[0001]本特許出願は、各々が本出願の譲受人に譲渡された、２０１６年３月４日に出願された、「Enabling Device-to-Device Discovery」と題する、Ｐａｔｉｌらによる米国特許出願第１５／０６１，２６３号、および２０１５年４月３日に出願された、「Enabling Device-to-Device Discovery」と題する、Ｐａｔｉｌらによる米国仮特許出願第６２／１４２，９６９号の優先権を主張する。
【技術分野】
【０００２】
[0002]本開示は、たとえば、ワイヤレス通信システムに関し、より詳細には、特にデバイスツーデバイス発見プロシージャ（device-to-device discovery procedure）を可能にすることに関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]一般に、ＵＥは、ワイヤレス通信システムの基地局と通信することによってワイヤレス通信に関与する。ただし、ＵＥは、直接Ｄ２ＤまたはＰｒｏＳｅワイヤレス通信にも参加し得る。Ｄ２Ｄ発見（D2D discovery）は、互いの範囲内にあるＵＥが、基地局を通して通信する代わりに、互いと直接通信することを可能にする。１つのＵＥが、ロングタームエボリューション（ＬＴＥ（登録商標））システムにおける直接ピア発見信号（Direct Peer-Discovery Signal）などのＤ２Ｄ発見告知をブロードキャストし得、Ｄ２Ｄ発見告知は、次いで、そのような発見通信をモニタしている近傍にあるネイバリングＵＥによって受信され得る。モニタＵＥ（monitoring UE）が、Ｄ２Ｄ発見告知を受信し、告知ＵＥ（announcing UE）との通信を認証および確立するための関連付けプロシージャを実行し得る。しかしながら、そのような発見プロシージャは、告知ＵＥとモニタＵＥとが異なる周波数上で、いくつかの状況では、異なるキャリアを介して動作しているときに、問題になる。たとえば、サービング基地局にキャンプオンされ、それと通信しているモニタＵＥは、発見信号を検出するために、告知ＵＥの周波数にチューンする必要があり得、これは、サービング基地局との通信を混乱させ得る。
【発明の概要】
【０００６】
[0006]説明される特徴は、一般に、Ｄ２Ｄ発見プロシージャを可能にする１つまたは複数の改善された方法、システム、デバイス、または装置に関する。概して、改善された方法は、モニタＵＥが、サービング基地局とのアクティブ通信セッション中である間に、告知ＵＥとの発見プロシージャを実行することを提供し得る。告知ＵＥは、モニタＵＥおよびサービング基地局との通信のために使用される周波数とは異なる周波数を使用して通信することがあり、これは、モニタＵＥが、発見スキャンプロシージャ中にいくつかのダウンリンク送信をスキップすることを生じ得る。たとえば、モニタＵＥは、第１の周波数帯域中の第１の周波数を使用してサービング基地局とのアクティブ通信セッション中であり得る。モニタＵＥは、発見スキャン間隔（discovery scan interval）中に第２の周波数帯域中の第２の周波数上で、発見スキャンプロシージャを実行することに関連する情報をサービング基地局に送り得る。第１の周波数と第２の周波数とは異なり得る。モニタＵＥは、発見スキャン間隔中にサービング基地局からのダウンリンク送信の少なくとも一部分をスキップする能力を（自律的におよび／またはサービング基地局から受信された情報に基づいて）識別し得る。したがって、モニタＵＥは、サービング基地局からのいくつかのダウンリンク送信をスキップすることを生じ得る周波数間（inter-frequency）、およびいくつかの場合には、キャリア間（inter-carrier）発見スキャンを実行する意図、要望などに関してサービング基地局に通知することが可能であり得る。
【０００７】
[0007]例の第１の例示的なセットでは、ユーザ機器（ＵＥ）におけるワイヤレス通信のための方法が提供される。本方法は、第１の周波数帯域中の第１の周波数を使用してサービング基地局と通信することと、発見スキャン間隔中に第２の周波数帯域中の第２の周波数上で、発見スキャンプロシージャを実行することに関連する情報をサービング基地局に送信することと、第２の周波数は第１の周波数とは異なる、発見スキャン間隔中にサービング基地局からの１つまたは複数のダウンリンク送信をスキップする能力を識別することとを含み得る。
【０００８】
[0008]いくつかの態様では、本方法は、発見スキャン間隔中に第２の周波数にチューンすることと、発見スキャン間隔中にサービング基地局からの１つまたは複数のダウンリンク送信をスキップすることとを含み得る。本方法は、サービング基地局から応答を受信することと、受信された応答に少なくとも部分的に基づいて、発見スキャン間隔中にサービング基地局からの１つまたは複数のダウンリンク送信の少なくとも一部分をスキップすることとを含み得る。応答は、発見スキャン間隔中にサービング基地局からの１つまたは複数のダウンリンク送信の少なくとも一部分をスキップする許可を含み得る。
【０００９】
[0009]いくつかの態様では、本方法は、受信された応答に少なくとも部分的に基づいて、発見スキャン間隔中にサービング基地局からの１つまたは複数のダウンリンク送信の第１の部分をスキップすることと、受信された応答に少なくとも部分的に基づいて、発見スキャン間隔中にサービング基地局からの１つまたは複数のダウンリンク送信の第２の部分を受信することとを含み得る。応答は、サービング基地局からの１つまたは複数のダウンリンク送信に関連するビットマップを含み得、ビットマップは、ＵＥがスキップすることを可能にされる１つまたは複数のダウンリンク送信の第１の部分と、ＵＥがスキップすることを可能にされない１つまたは複数のダウンリンク送信の第２の部分とを識別する。
【００１０】
[0010]いくつかの態様では、本方法は、発見スキャン間隔に関連するタイミング情報をサービング基地局に送ることを含み得る。タイミング情報は、ＵＥがサービング基地局からの１つまたは複数のダウンリンク送信をスキップする、１つまたは複数のサブフレームの識別情報を含み得る。本方法は、サービング基地局と、発見スキャンプロシージャに関連する発見信号を送信する別のデバイスとの間のタイミング差に基づいて、１つまたは複数のサブフレームを選択することを含み得る。本方法は、第２の周波数帯域にチューンすることおよびそれからチューンアウェイすることに関連するタイミングパラメータを決定することと、タイミングパラメータを考慮すべき１つまたは複数のサブフレームを選択することとを含み得る。
【００１１】
[0011]いくつかの態様では、サービング基地局は第１のネットワークに関連し得、発見スキャンプロシージャは第２のネットワークに関連し得、第１のネットワークは第２のネットワークとは異なる。発見スキャンプロシージャはデバイスツーデバイス発見プロシージャであり得る。
【００１２】
[0012] 例の第２の例示的なセットでは、ワイヤレス通信のための装置が提供される。本装置は、プロセッサと、プロセッサと電子通信しているメモリと、メモリに記憶された命令とを含み得、命令は、第１の周波数帯域中の第１の周波数を使用してサービング基地局と通信することと、発見スキャン間隔中に第２の周波数帯域中の第２の周波数上で、発見スキャンプロシージャを実行することに関連する情報をサービング基地局に送信することと、第２の周波数は第１の周波数とは異なる、発見スキャン間隔中にサービング基地局からの１つまたは複数のダウンリンク送信をスキップする能力を識別することとを行うためにプロセッサによって実行可能である。
【００１３】
[0013]いくつかの態様では、本装置は、発見スキャン間隔中に第２の周波数にチューンすることと、発見スキャン間隔中にサービング基地局からの１つまたは複数のダウンリンク送信をスキップすることとを行うためにプロセッサによって実行可能な命令を含み得る。本装置は、サービング基地局から応答を受信することと、受信された応答に少なくとも部分的に基づいて、発見スキャン間隔中にサービング基地局からの１つまたは複数のダウンリンク送信の少なくとも一部分をスキップすることとを行うためにプロセッサによって実行可能な命令を含み得る。応答は、発見スキャン間隔中にサービング基地局からの１つまたは複数のダウンリンク送信の少なくとも一部分をスキップする許可を含み得る。
【００１４】
[0014]いくつかの態様では、本装置は、受信された応答に少なくとも部分的に基づいて、発見スキャン間隔中にサービング基地局からの１つまたは複数のダウンリンク送信の第１の部分をスキップすることと、受信された応答に少なくとも部分的に基づいて、発見スキャン間隔中にサービング基地局からの１つまたは複数のダウンリンク送信の第２の部分を受信することとを行うためにプロセッサによって実行可能な命令を含み得る。応答は、サービング基地局からの１つまたは複数のダウンリンク送信に関連するビットマップを含み得、ビットマップは、ＵＥがスキップすることを可能にされる１つまたは複数のダウンリンク送信の第１の部分と、ＵＥがスキップすることを可能にされない１つまたは複数のダウンリンク送信の第２の部分とを識別する。
【００１５】
[0015]いくつかの態様では、本装置は、発見スキャン間隔に関連するタイミング情報をサービング基地局に送るためにプロセッサによって実行可能な命令を含み得る。タイミング情報は、ＵＥがサービング基地局からの１つまたは複数のダウンリンク送信をスキップする、１つまたは複数のサブフレームの識別情報を含み得る。本装置は、サービング基地局と、発見スキャンプロシージャに関連する発見信号を送信する別のデバイスとの間のタイミング差に基づいて、１つまたは複数のサブフレームを選択するためにプロセッサによって実行可能な命令を含み得る。本装置は、第２の周波数帯域にチューンすることおよびそれからチューンアウェイすることに関連するタイミングパラメータを決定することと、タイミングパラメータを考慮すべき１つまたは複数のサブフレームを選択することとを行うためにプロセッサによって実行可能な命令を含み得る。
【００１６】
[0016]いくつかの態様では、サービング基地局は第１のネットワークに関連し得、発見スキャンプロシージャは第２のネットワークに関連し得、第１のネットワークは第２のネットワークとは異なる。発見スキャンプロシージャはデバイスツーデバイス発見プロシージャであり得る。
【００１７】
[0017]例の第３の例示的なセットでは、サービング基地局におけるワイヤレス通信のための方法が提供される。本方法は、第１の周波数帯域中の第１の周波数を使用してユーザ機器（ＵＥ）と通信することと、発見スキャン間隔中に第２の周波数帯域中の第２の周波数上で、ＵＥが発見スキャンプロシージャを実行することに関連する情報をＵＥから受信することと、第２の周波数は第１の周波数とは異なる、ＵＥが発見スキャン間隔中に１つまたは複数のダウンリンク送信をスキップすることを可能にされるかどうかを示す応答を、ＵＥに送ることとを含み得る。
【００１８】
[0018]いくつかの態様では、本方法は、ＵＥが発見スキャン間隔中に１つまたは複数のダウンリンク送信をスキップすることが可能であることを示す能力メッセージを、ＵＥから受信することを含み得る。応答は、ＵＥが発見スキャン間隔中にスキップすることを可能にされる１つまたは複数のダウンリンク送信の第１の部分を識別し得る。応答は、ＵＥが発見スキャン間隔中にスキップすることを可能にされない１つまたは複数のダウンリンク送信の第２の部分を識別し得る。本方法は、ＵＥから発見スキャン間隔に関連するタイミング情報を受信することを含み得る。
【００１９】
[0019]例の第４の例示的なセットでは、ワイヤレス通信のための装置が提供される。本装置は、プロセッサと、プロセッサと電子通信しているメモリと、メモリに記憶された命令とを含み得、命令は、第１の周波数帯域中の第１の周波数を使用してユーザ機器（ＵＥ）と通信することと、発見スキャン間隔中に第２の周波数帯域中の第２の周波数上で、ＵＥが発見スキャンプロシージャを実行することに関連する情報をＵＥから受信することと、第２の周波数は第１の周波数とは異なる、ＵＥが発見スキャン間隔中に１つまたは複数のダウンリンク送信をスキップすることを可能にされるかどうかを示す応答を、ＵＥに送ることとを行うためにプロセッサによって実行可能である。
【００２０】
[0020]いくつかの態様では、本装置は、ＵＥが発見スキャン間隔中に１つまたは複数のダウンリンク送信をスキップすることが可能であることを示す能力メッセージを、ＵＥから受信するためにプロセッサによって実行可能な命令を含み得る。応答は、ＵＥが発見スキャン間隔中にスキップすることを可能にされる１つまたは複数のダウンリンク送信の第１の部分を識別し得る。応答は、ＵＥが発見スキャン間隔中にスキップすることを可能にされない１つまたは複数のダウンリンク送信の第２の部分を識別し得る。いくつかの態様では、本装置は、ＵＥから発見スキャン間隔に関連するタイミング情報を受信するためにプロセッサによって実行可能な命令を含み得る。
【００２１】
[0021]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特徴、それらの編成と動作方法の両方は、関連する利点とともに、添付の図に関連して以下の説明を検討するとより良く理解されよう。図の各々は、例示および説明の目的でのみ与えられるものであり、特許請求の範囲の制限の定義として与えられるものではない。
【図面の簡単な説明】
【００２２】
[0022]以下の図面を参照することにより、本発明の性質および利点のさらなる理解が得られ得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図１】本開示の様々な態様による、ワイヤレス通信システムのブロック図。
【図２】本開示の様々な態様による、ワイヤレス通信において使用するための発見スキャンプロシージャの態様の図。
【図３】本開示の様々な態様による、ワイヤレス通信において使用するための発見スキャンプロシージャの態様の図。
【図４】本開示の様々な態様による、ワイヤレス通信において使用するための発見スキャンプロシージャの態様の図。
【図５】本開示の様々な態様による、ワイヤレス通信において使用するための発見スキャンプロシージャの態様の図。
【図６】本開示の様々な態様による、ワイヤレス通信において使用するために構成されたデバイスのブロック図。
【図７】本開示の様々な態様による、ワイヤレス通信において使用するために構成されたデバイスのブロック図。
【図８】本開示の様々な態様による、ワイヤレス通信において使用するためのユーザ機器のブロック図。
【図９】本開示の様々な態様による、ワイヤレス通信において使用するための装置のブロック図。
【図１０】本開示の様々な態様による、ワイヤレス通信において使用するための基地局（たとえば、ｅＮＢの一部または全部を形成する基地局）のブロック図。
【図１１】本開示の様々な態様による、ワイヤレス通信のための方法の一例を示すフローチャート。
【図１２】本開示の様々な態様による、ワイヤレス通信のための方法の一例を示すフローチャート。
【図１３】本開示の様々な態様による、ワイヤレス通信のための方法の一例を示すフローチャート。
【図１４】本開示の様々な態様による、ワイヤレス通信のための方法の一例を示すフローチャート。
【発明を実施するための形態】
【００２３】
[0037]アクティブ通信セッション中の（たとえば、無線リソース制御（ＲＲＣ：radio resource control）接続モードにある）ＵＥが、周波数帯域の１つまたは複数の周波数を使用してサービング基地局と通信し得る。モニタＵＥのサービング基地局とは（たとえば、異なる周波数帯域中の）異なる周波数上で動作する告知ＵＥから発見信号を受信しようと試みる、モニタＵＥが、受信チェーンをサービング基地局の周波数からチューンアウェイし、告知ＵＥの周波数にチューンし得る。その結果、モニタＵＥは、モニタＵＥが告知ＵＥからの発見信号をスキャンする間、モニタＵＥのサービング基地局からのいくつかのダウンリンク送信を受信することが可能でないことがある。したがって、モニタＵＥが、サービング基地局からのいくつかのダウンリンク送信をスキップすることを生じ得る発見スキャンプロシージャを実行するというモニタＵＥの意図に関して、サービング基地局に通知することは有益であり得る。
【００２４】
[0038]本明細書の態様によれば、モニタＵＥが、異なるターゲット周波数、すなわち、告知ＵＥの周波数に関してサービング基地局に通知することによって、ターゲット周波数（イントラまたはインターパブリックランドモバイルネットワーク（ＰＬＭＮ：public land mobile network））中で発見プロシージャを実行するというモニタＵＥの意図をサービング基地局に通知し得る。いくつかの例では、モニタＵＥは、情報を伝達するためにＳＬＵＥＩｎｆｏＭｓｇフィールドを使用し得る。いくつかの例では、モニタＵＥは、モニタＵＥが、サービング基地局とのＲＲＣ＿ＣＯＮＮＥＣＴＥＤ／非間欠受信（ＤＲＸ：discontinuous reception）モードにある間に、ダウンリンク送信をスキップすることが可能であるかどうかをサービング基地局に通知し得る。モニタＵＥが、いくつかのダウンリンク送信を自律的にスキップすることをサポートする場合、モニタＵＥは、発見プロシージャ中にダウンリンク送信を自律的にスキップし得る。追加または代替として、サービング基地局は、モニタＵＥに応答し、モニタＵＥが発見プロシージャに参加することを許可または拒否し得る。
【００２５】
[0039]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００２６】
[0040]図１は、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス認可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００２７】
[0041]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００２８】
[0042]いくつかの例では、ワイヤレス通信システム１００はＬＴＥ／ＬＴＥ−Ａネットワークである。ＬＴＥ／ＬＴＥ−Ａネットワークにおいて、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００２９】
[0043]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３０】
[0044]ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００３１】
[0045]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３２】
[0046]ＵＥ１１５はワイヤレス通信システム１００全体にわたって分散され、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、あるいはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、中継基地局などを含む、様々なタイプの基地局およびネットワーク機器と通信することが可能であり得る。
【００３３】
[0047]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、（たとえば、対スペクトルリソースを使用する）ＦＤＤ動作または（たとえば、不対スペクトルリソースを使用する）ＴＤＤ動作を使用して、双方向通信を送信し得る。ＦＤＤのためのフレーム構造（たとえば、フレーム構造タイプ１）およびＴＤＤのためのフレーム構造（たとえば、フレーム構造タイプ２）が定義され得る。
【００３４】
[0048]システム１００のいくつかの実施形態では、基地局１０５および／またはＵＥ１１５は、基地局１０５とＵＥ１１５との間の通信品質と信頼性とを改善するために、アンテナダイバーシティスキームを採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００３５】
[0049]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３６】
[0050]ワイヤレス通信システム１００は、周波数間および、いくつかの例では、インターＰＬＭＮ  Ｄ２Ｄ発見プロシージャをサポートし得る。たとえば、モニタＵＥ１１５が、第１の周波数帯域の第１の周波数を使用してサービング基地局１０５と通信していることがある。モニタＵＥ１１５は、第２の周波数帯域の第２の周波数上で、Ｄ２Ｄ発見信号を送信するネイバリングＵＥ１１５とのダイレクトＤ２Ｄ通信リンクを確立することをインデンドし得る。モニタＵＥ１１５は、ネイバリングＵＥ１１５が発見信号をその上で送信する周波数、たとえば、第２の周波数を事前に知り得る。モニタＵＥ１１５は、サービング基地局１０５と通信していることがあり、第２の周波数にチューンすることが、サービング基地局１０５からの１つまたは複数のダウンリンク送信をスキップすることを生じ得ることを知り得る。したがって、モニタＵＥ１１５は、発見スキャン間隔中に第２の周波数上で発見スキャンプロシージャを実行することに関連する情報を送ることによって、第２の周波数上で発見信号をモニタするという意図をサービング基地局１０５に通知し得る。モニタＵＥ１１５は、発見スキャン間隔中にサービング基地局からのダウンリンク送信の一部分をスキップする能力を決定し得る。いくつかの例では、モニタＵＥ１１５は、発見スキャン間隔中にダウンリンク送信を自律的にスキップすることをサポートし得、したがって、上記情報をサービング基地局１０５に送ることが、発見スキャンプロシージャを実行することに関してサービング基地局１０５に影響を及ぼさないことがある。
【００３７】
[0051]いくつかの例では、サービング基地局１０５は、モニタＵＥ１１５から情報を受信し得、モニタＵＥ１１５が発見スキャン間隔中にダウンリンク送信の一部または全部をスキップすることを可能にされるかどうかを示す応答を、モニタＵＥ１１５に送り得る。したがって、サービング基地局１０５は、モニタＵＥ１１５が発見スキャンプロシージャを実行し、ダウンリンク送信をスキップし得るかどうかを制御し得る。いくつかの例では、サービング基地局１０５は、部分的なダウンリンク送信スキッピングをサポートし得、応答、たとえば、どのダウンリンク送信がスキップされ得るか、およびどのダウンリンク送信がスキップされ得ないかのインジケーションを含み得る。
【００３８】
[0052]図２は、本開示の様々な態様による、Ｄ２Ｄ発見シグナリングプロシージャの態様を示す図２００である。図２００は、図１のワイヤレス通信システム１００の態様を示し得る。図２００は、ＵＥ１１５−ａと基地局１０５−ａとを含む。ＵＥ１１５−ａは、図１に関して上記で説明されたＵＥ１１５のうちの１つまたは複数の一例であり得る。ＵＥ１１５−ａは、告知ＵＥ（図示せず）との発見スキャンプロシージャを実行することに関心があるモニタＵＥであり得る。基地局１０５−ａは、図１に関して上記で説明された基地局１０５のうちの１つまたは複数の一例であり得る。基地局１０５−ａは、ＵＥ１１５−ａのサービング基地局であり得る。概して、図２００は、ワイヤレス通信システムにおいてＤ２Ｄ発見プロシージャシグナリングプロトコルを実装する態様を示す。いくつかの例では、ＵＥ１１５および／または基地局１０５のうちの１つなどのシステムデバイスが、以下で説明される機能の一部または全部を実行するようにデバイスの機能要素を制御するためのコードの１つまたは複数のセットを実行し得る。
【００３９】
[0053]ブロック２０５において、ＵＥ１１５−ａは、第１の周波数帯域の第１の周波数を使用して基地局１０５−ａと通信し得る。たとえば、ＵＥ１１５−ａは、アクティブ通信セッション（たとえば、ＲＲＣ＿ｃｏｎｎｅｃｔｅｄモード）中である間、基地局１０５−ａと様々な通信２１０を交換し得る。アクティブ通信セッションは、ＵＥ１１５−ａがアップリンク送信を基地局１０５−ａに送ることと、基地局１０５−ａからダウンリンク送信を受信することとを含み得る。ダウンリンク送信は、リソースブロック（ＲＢ）の１つまたは複数のリソース要素（ＲＥ）を含み得、ＲＢはサブフレーム内のスロットである。いくつかの例では、ダウンリンク送信は、複数のスロットおよび／または複数のサブフレームにわたって拡散されたＲＥを含み得る。いくつかの例では、ビットマップは、ＵＥ１１５−ａへのダウンリンク送信のためにどのＲＥがスケジュールされるかを表し得る。
【００４０】
[0054]ブロック２１５において、ＵＥ１１５−ａは、発見スキャン間隔中に第２の周波数帯域中の第２の周波数上で、スキャンプロシージャを実行することに関連する情報を基地局１０５−ａに送信し得る。発見スキャン情報２２０は、第２の周波数を示す情報を含み得る。第２の周波数は第１の周波数とは異なり得る。したがって、ＵＥ１１５−ａは、発見スキャン間隔中に少なくとも１つの受信チェーンを第１の周波数から再チューンアウェイし、第２の周波数に再チューンし得る。
【００４１】
[0055]いくつかの例では、発見スキャン情報２２０は、発見スキャン間隔に関連するタイミング情報をも含み得る。たとえば、タイミング情報は、ＵＥ１１５−ａが発見スキャンプロシージャをどのサブフレーム中に実行するか、転じて、ＵＥ１１５−ａがスキャン間隔中に基地局１０５−ａからのダウンリンク送信のどのサブフレームをスキップし得るかを示し得る。いくつかの例では、タイミング情報は、基地局１０５−ａと、発見信号などをブロードキャストする告知ＵＥとの間のタイミング差のために、受信チェーンを第１の周波数からチューンアウェイし、第２の周波数にチューンし、第１の周波数に再びチューンすることに関連する時間を考慮し得る。
【００４２】
[0056]ブロック２２５において、ＵＥ１１５−ａは、スキャン間隔中に基地局１０５からの１つまたは複数のダウンリンク送信をスキップする能力を識別し得る。以下でより詳細に説明されるように、１つまたは複数のダウンリンク送信をスキップするＵＥ１１５−ａの能力は、自律的にＵＥ１１５−ａによって、基地局１０５−ａによって、または、ＵＥ１１５−ａと基地局１０５−ａとの間の協調によって決定され得る。
【００４３】
[0057]図３は、本開示の様々な態様による、Ｄ２Ｄ発見シグナリングプロシージャの態様を示す図３００である。図３００は、図１のワイヤレス通信システム１００の態様を示し得る。図３００は、ＵＥ１１５−ｂと基地局１０５−ｂとを含む。ＵＥ１１５−ｂは、図１に関して上記で説明されたＵＥ１１５のうちの１つまたは複数の一例であり得る。ＵＥ１１５−ｂは、告知ＵＥ（図示せず）との発見スキャンプロシージャを実行することに関心があるモニタＵＥであり得る。基地局１０５−ｂは、図１に関して上記で説明された基地局１０５のうちの１つまたは複数の一例であり得る。基地局１０５−ｂは、ＵＥ１１５−ａのサービング基地局であり得る。概して、図３００は、ワイヤレス通信システムにおいてＤ２Ｄ発見プロシージャシグナリングプロトコルを実装する態様を示す。いくつかの例では、ＵＥ１１５および／または基地局１０５のうちの１つなどのシステムデバイスが、以下で説明される機能の一部または全部を実行するようにデバイスの機能要素を制御するためのコードの１つまたは複数のセットを実行し得る。
【００４４】
[0058]ブロック３０５において、ＵＥ１１５−ｂは、第１の周波数帯域の第１の周波数を使用して基地局１０５−ｂと通信していることがある。たとえば、ＵＥ１１５−ｂは、アクティブ通信セッション（たとえば、ＲＲＣ＿ｃｏｎｎｅｃｔｅｄモード）中である間、基地局１０５−ｂと様々な通信３１０を交換し得る。アクティブ通信セッションは、ＵＥ１１５−ｂがアップリンク送信を基地局１０５−ｂに送ることと、基地局１０５−ｂからダウンリンク送信を受信することとを含み得る。ダウンリンク送信は、サブフレーム内のＲＢの１つまたは複数のＲＥを含み得る。
【００４５】
[0059]ブロック３１５において、ＵＥ１１５−ｂは、発見スキャン間隔中に第２の周波数帯域中の第２の周波数上で、スキャンプロシージャを実行することに関連する情報を基地局１０５−ｂに送信し得る。発見スキャン情報３２０は、第２の周波数を示す情報を含み得る。第２の周波数は第１の周波数とは異なり得る。したがって、ＵＥ１１５−ｂは、発見スキャン間隔中に少なくとも１つの受信チェーンを第１の周波数から再チューンアウェイし、第２の周波数に再チューンする必要があり得る。いくつかの例では、発見スキャン情報３２０は、発見スキャン間隔に関連するタイミング情報、たとえば、受信チェーンチューニング時間を考慮するタイミング情報、基地局１０５−ｂと発見信号をブロードキャストする告知ＵＥとの間の非同期タイミングなどをも含み得る。
【００４６】
[0060]ブロック３２５において、ＵＥ１１５−ｂは、スキャン間隔中に基地局１０５−ａからの１つまたは複数のダウンリンク送信をスキップする能力を識別し得る。ＵＥ１１５−ｂは、自律的に、すなわち、基地局１０５−ｂからの応答または情報を受信することなしに、スキップ能力を識別し得る。たとえば、ＵＥ１１５−ｂは、発見スキャン間隔中に自律的ダウンリンク送信スキッピングをサポートするように構成され得る。いくつかの例では、発見スキャン間隔は、アクティブ通信３１０に対して小さく（たとえば、通信３１０と比較して時間の１パーセントに）なり得、したがって、ＵＥ１１５−ｂは、発見スキャンプロシージャを実行し、ダウンリンク送信をスキップすることを可能にされ得る。ＵＥ１１５−ｂは、１つの非限定的な例として、スキップされたダウンリンク送信を復元するために、ハイブリッド自動再送要求（ＨＡＲＱ）再送信プロシージャに依拠し得る。
【００４７】
[0061]別の例では、発見スキャン情報３２０は、ＵＥ１１５−ｂが発見スキャン間隔中に利用不可能であり得るというインジケーションを基地局１０５−ｂに与え得る。したがって、基地局１０５−ｂは、ＵＥ１１５−ｂが発見スキャンプロシージャを実行し、その前および／または後にダウンリンク送信を受信することを許可するように、ダウンリンク送信の一部分を再スケジュールし得る。
【００４８】
[0062]ブロック３３０において、ＵＥ１１５−ｂは、発見スキャンプロシージャを実行するために、少なくとも１つの受信チェーンを第１の周波数から再チューンアウェイし、第２の周波数に再チューンし得る。たとえば、ＵＥ１１５−ｂは、（１つまたは複数の）告知ＵＥからブロードキャストされた発見信号の受信を許可するために、１つまたは複数の受信チェーンを第２の周波数に再チューンし得る。いくつかの例では、告知ＵＥは、ＵＥ１１５−ｂとは異なるキャリア、たとえば、異なるＰＬＭＮに関連し得る。
【００４９】
[0063]ブロック３３５において、ＵＥ１１５−ｂは、発見スキャンプロシージャを実行し得、発見スキャンプロシージャ中に基地局１０５−ｂからの１つまたは複数のダウンリンク送信をスキップし得る。たとえば、第２の周波数にチューンされた（１つまたは複数の）受信チェーンは、第１の周波数上での基地局１０５−ｂからのダウンリンク送信の受信を禁止し得る。
【００５０】
[0064]図４は、本開示の様々な態様による、Ｄ２Ｄ発見シグナリングプロシージャの態様を示す図４００である。図４００は、図１のワイヤレス通信システム１００の態様を示し得る。図４００は、ＵＥ１１５−ｃと基地局１０５−ｃとを含む。ＵＥ１１５−ｃは、図１に関して上記で説明されたＵＥ１１５のうちの１つまたは複数の一例であり得る。ＵＥ１１５−ｃは、告知ＵＥ（図示せず）との発見スキャンプロシージャを実行することに関心があるモニタＵＥであり得る。基地局１０５−ｃは、図１に関して上記で説明された基地局１０５のうちの１つまたは複数の一例であり得る。基地局１０５−ｃは、ＵＥ１１５−ｃのサービング基地局であり得る。概して、図４００は、ワイヤレス通信システムにおいてＤ２Ｄ発見プロシージャシグナリングプロトコルを実装する態様を示す。いくつかの例では、ＵＥ１１５および／または基地局１０５のうちの１つなどのシステムデバイスが、以下で説明される機能の一部または全部を実行するようにデバイスの機能要素を制御するためのコードの１つまたは複数のセットを実行し得る。
【００５１】
[0065]ブロック４０５において、ＵＥ１１５−ｃは、第１の周波数帯域の第１の周波数を使用して基地局１０５−ｃと通信していることがある。たとえば、ＵＥ１１５−ｃは、アクティブ通信セッション（たとえば、ＲＲＣ＿ｃｏｎｎｅｃｔｅｄモード）中である間、基地局１０５−ｃと様々な通信４１０を交換し得る。アクティブ通信セッションは、ＵＥ１１５−ｃがアップリンク送信を基地局１０５−ｃに送ることと、基地局１０５−ｃからダウンリンク送信を受信することとを含み得る。
【００５２】
[0066]ブロック４１５において、ＵＥ１１５−ｃは、発見スキャン間隔中に第２の周波数帯域中の第２の周波数上で、スキャンプロシージャを実行することに関連する情報を基地局１０５−ｃに送信し得る。発見スキャン情報４２０は、第２の周波数を示す情報を含み得る。第２の周波数は第１の周波数とは異なり得る。したがって、ＵＥ１１５−ｃは、発見スキャン間隔中に少なくとも１つの受信チェーンを第１の周波数から再チューンアウェイし、第２の周波数に再チューンする必要があり得る。いくつかの例では、発見スキャン情報４２０は、発見スキャン間隔に関連するタイミング情報をも含み得る。
【００５３】
[0067]ブロック４２５において、基地局１０５−ｃは、ＵＥ１１５−ｃがスキャン間隔中に基地局１０５−ｃからの１つまたは複数のダウンリンク送信をスキップする能力を識別し得る。たとえば、基地局１０５−ｃは、ＵＥ１１５−ｃが発見スキャン間隔中に、もしあれば、ダウンリンク送信のうちのどれをスキップすることができるかを決定し得る。いくつかの例では、基地局１０５−ｃは、ダウンリンク送信のタイプ、ダウンリンク送信に関連する優先度レベルなどに基づいて、スキップされ得るかまたはスキップされ得ないダウンリンク送信を識別し得る。
【００５４】
[0068]ブロック４３０において、基地局１０５−ｃは、１つまたは複数のダウンリンク送信をスキップするＵＥ１１５−ｃの能力を示す情報を伝達するために、応答４３５をＵＥ１１５−ｃに送り得る。応答は、ＵＥ１１５−ｃが発見スキャン間隔中にいくつかのダウンリンク送信をスキップすることを認可し得、および／またはＵＥ１１５−ｃが発見スキャン間隔中にいくつかのダウンリンク送信をスキップすることを禁止し得る。
【００５５】
[0069]認可された場合、ブロック４４０において、ＵＥ１１５−ｃは、発見スキャンプロシージャを実行するために、少なくとも１つの受信チェーンを第１の周波数から再チューンアウェイし、第２の周波数に再チューンし得る。たとえば、ＵＥ１１５−ｃは、（１つまたは複数の）告知ＵＥからブロードキャストされた発見信号の受信を許可するために、１つまたは複数の受信チェーンを第２の周波数に再チューンし得る。いくつかの例では、告知ＵＥは、ＵＥ１１５−ｃとは異なるキャリア、たとえば、異なるＰＬＭＮに関連し得る。
【００５６】
[0070]認可された場合、ブロック４４５において、ＵＥ１１５−ｃは、発見スキャンプロシージャを実行し、発見スキャンプロシージャ中に基地局１０５−ｃからの１つまたは複数のダウンリンク送信をスキップし得る。たとえば、第２の周波数にチューンされた（１つまたは複数の）受信チェーンは、第１の周波数上での基地局１０５−ｃからのダウンリンク送信の受信を禁止し得る。
【００５７】
[0071]図５は、本開示の様々な態様による、Ｄ２Ｄ発見シグナリングプロシージャの態様を示す図５００である。図５００は、図１のワイヤレス通信システム１００の態様を示し得る。図５００は、ＵＥ１１５−ｄと基地局１０５−ｄとを含む。ＵＥ１１５−ｄは、図１に関して上記で説明されたＵＥ１１５のうちの１つまたは複数の一例であり得る。ＵＥ１１５−ｄは、告知ＵＥ（図示せず）との発見スキャンプロシージャを実行することに関心があるモニタＵＥであり得る。基地局１０５−ｄは、図１に関して上記で説明された基地局１０５のうちの１つまたは複数の一例であり得る。基地局１０５−ｄは、ＵＥ１１５−ｄのサービング基地局であり得る。概して、図５００は、ワイヤレス通信システムにおいてＤ２Ｄ発見プロシージャシグナリングプロトコルを実装する態様を示す。いくつかの例では、ＵＥ１１５および／または基地局１０５のうちの１つなどのシステムデバイスが、以下で説明される機能の一部または全部を実行するようにデバイスの機能要素を制御するためのコードの１つまたは複数のセットを実行し得る。
【００５８】
[0072]ブロック５０５において、ＵＥ１１５−ｄは、第１の周波数帯域の第１の周波数を使用して基地局１０５−ｄと通信していることがある。たとえば、ＵＥ１１５−ｄは、アクティブ通信セッション（たとえば、ＲＲＣ＿ｃｏｎｎｅｃｔｅｄモード）中である間、基地局１０５−ｄと様々な通信４１０を交換し得る。アクティブ通信セッションは、ＵＥ１１５−ｄがアップリンク送信を基地局１０５−ｄに送ることと、基地局１０５−ｄからダウンリンク送信を受信することとを含み得る。
【００５９】
[0073]ブロック５１５において、ＵＥ１１５−ｄは、発見スキャン間隔中に第２の周波数帯域中の第２の周波数上で、スキャンプロシージャを実行することに関連する情報を基地局１０５−ｄに送信し得る。発見スキャン情報５２０は、第２の周波数を示す情報を含み得る。第２の周波数は第１の周波数とは異なり得る。したがって、ＵＥ１１５−ｄは、発見スキャン間隔中に少なくとも１つの受信チェーンを第１の周波数から再チューンアウェイし、第２の周波数に再チューンする必要があり得る。いくつかの例では、発見スキャン情報５２０は、発見スキャン間隔に関連するタイミング情報をも含み得る。
【００６０】
[0074]ブロック５２５において、基地局１０５−ｄは、ＵＥ１１５−ｄがスキャン間隔中に基地局１０５−ｄからの１つまたは複数のダウンリンク送信をスキップする能力を識別し得る。例示的な図５００では、基地局１０５−ｄは、ＵＥ１１５−ｄが発見スキャン間隔中に生じるダウンリンク送信の少なくとも一部分をスキップすることを認可し得る。
【００６１】
[0075]ブロック５３０において、基地局１０５−ｄは、ＵＥ１１５−ｄが、発見スキャン間隔中にダウンリンク送信のうちのどれをスキップすることができるかを決定し得る。いくつかの例では、基地局１０５−ｄは、ダウンリンク送信のタイプ、ダウンリンク送信に関連する優先度レベルなどに基づいて、スキップされ得るかまたはスキップされ得ないダウンリンク送信を識別し得る。
【００６２】
[0076]ブロック５３５において、基地局１０５−ｄは、１つまたは複数のダウンリンク送信をスキップするＵＥ１１５−ｄの能力を示す情報を伝達するために、応答５４０をＵＥ１１５−ｄに送り得る。応答は、ＵＥ１１５−ｄが発見スキャン間隔中にいくつかのダウンリンク送信をスキップすることを認可し得、および／またはＵＥ１１５−ｄが発見スキャン間隔中にいくつかのダウンリンク送信をスキップするのを禁止し得る。一例では、応答５４０は、スキップ可能ダウンリンク送信および非スキップ可能ダウンリンク送信に対応するビットマップを含み得る。ビットマップは、ダウンリンク送信に関連するサブフレームのＲＥに対応し得る。
【００６３】
[0077]ブロック５４５において、ＵＥ１１５−ｄは、発見スキャンプロシージャを実行するために、少なくとも１つの受信チェーンを第１の周波数から再チューンアウェイし、第２の周波数に再チューンし得る。たとえば、ＵＥ１１５−ｄは、（１つまたは複数の）告知ＵＥからブロードキャストされた発見信号の受信を許可するために、１つまたは複数の受信チェーンを第２の周波数に再チューンし得る。一例では、ＵＥ１１５−ｄは、１つの受信チェーンを第２の周波数に再チューンするが、発見スキャン間隔中に非スキップ可能ダウンリンク送信を受信するために、第２の受信チェーンを第１の周波数にチューンされたままにし得る。
【００６４】
[0078]ブロック５５０において、ＵＥ１１５−ｄは、発見スキャンプロシージャを実行し、発見スキャンプロシージャ中に基地局１０５−ｄからのスキップ可能ダウンリンク送信をスキップし、非スキップ可能ダウンリンク送信を受信し得る。たとえば、少なくとも１つの受信チェーンが第２の周波数にチューンされ得、発見スキャン間隔中に少なくとも１つの受信チェーンが第１の周波数にチューンされ得る。
【００６５】
[0079]図６は、本開示の様々な態様による、ワイヤレス通信において使用するためのデバイス６０５のブロック図６００を示す。デバイス６０５は、図１〜図５を参照しながら説明されたＵＥ１１５の１つまたは複数の態様の一例であり得る。デバイス６０５は、受信機６１０、ＵＥ発見マネージャ６１５、および／または送信機６２０を含み得る。デバイス６０５はまた、プロセッサ（図示せず）であるか、またはプロセッサを含み得る。これらのモジュールの各々は互いと通信していることがある。
【００６６】
[0080]デバイス６０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００６７】
[0081]受信機６１０は、パケット、ユーザデータ、および／または様々な情報チャネル（たとえば、制御チャネル、データチャネルなど）に関連する制御情報などの情報を受信し得る。受信機６１０は、Ｄ２Ｄ発見に関連する様々な信号と、関連するシグナリングプロトコルとを受信するように構成され得る。情報は、ＵＥ発見マネージャ６１５に、およびデバイス６０５の他の構成要素に受け渡され得る。
【００６８】
[0082]ＵＥ発見マネージャ６１５は、デバイス６０５のためのＤ２Ｄ発見動作の１つまたは複数の態様をモニタ、制御、または場合によっては管理し得る。たとえば、ＵＥ発見マネージャ６１５は、単独で、またはデバイス６０５の他の構成要素と協働して、第１の周波数帯域中の第１の周波数を使用してサービング基地局と通信する態様を管理し得る。サービング基地局との通信は、デバイス６０５とサービング基地局との間のアクティブ通信セッション中に生じ得る。ＵＥ発見マネージャ６１５は、発見スキャン間隔中に第２の周波数帯域中の第２の周波数上で、発見スキャンプロシージャを実行することに関連する情報をサービング基地局に送信し得る。第１の周波数は第２の周波数とは異なり得る。いくつかの例では、発見スキャンプロシージャは、告知ＵＥがサービング基地局とは異なるキャリアまたはサービスプロバイダに関連する、インターＰＬＭＮプロシージャであり得る。ＵＥ発見マネージャ６１５は、発見スキャン間隔中にサービング基地局からの１つまたは複数のダウンリンク送信をスキップする能力を識別し得る。たとえば、デバイス６０５および／またはサービング基地局は、デバイス６０５が発見スキャン間隔中に、もしあれば、ダウンリンク送信のうちのどれをスキップすることができるかを決定し得る。
【００６９】
[0083]送信機６２０は、デバイス６０５の他の構成要素から受信された１つまたは複数の信号を送信し得る。送信機６２０は、Ｄ２Ｄ発見に関連する様々な信号と、関連するシグナリングプロトコルとを送信し得る。いくつかの例では、送信機６２０は、トランシーバモジュール中で受信機６１０とコロケートされ得る。
【００７０】
[0084]図７は、様々な例による、ワイヤレス通信において使用するためのデバイス６０５−ａのブロック図７００を示す。デバイス６０５−ａは、図１〜図５を参照しながら説明されたＵＥ１１５の１つまたは複数の態様の一例であり得る。デバイス６０５−ａはまた、図６を参照しながら説明されたデバイス６０５の一例であり得る。デバイス６０５−ａは、受信機６１０−ａ、ＵＥ発見マネージャ６１５−ａ、および／または送信機６２０−ａを含み得、これらは、デバイス６０５の対応するモジュールの例であり得る。デバイス６０５−ａはプロセッサ（図示せず）をも含み得る。これらの構成要素の各々は互いと通信していることがある。ＵＥ発見マネージャ６１５−ａは、スキップ能力マネージャ７０５、発見スキャンマネージャ７１０、および／またはダウンリンクリソーススキップマネージャ７１５を含み得る。受信機６１０−ａおよび送信機６２０−ａは、それぞれ、図６の受信機６１０および送信機６２０の機能を実行し得る。
【００７１】
[0085]スキップ能力マネージャ７０５は、デバイス６０５−ａのためのスキップ能力を識別する１つまたは複数の態様をモニタ、制御、または場合によっては管理し得る。たとえば、デバイス６０５−ａは、第１の周波数帯域中の第１の周波数を使用してサービング基地局と通信していることがあり、スキップ能力マネージャ７０５は、発見スキャン間隔中の第２の周波数帯域中の第２の周波数上での発見スキャンプロシージャに関連する情報をサービング基地局に送信し得る。第１の周波数は第２の周波数とは異なり得、いくつかの例では、サービング基地局は第１のネットワークに関連し得、発見スキャンプロシージャは第２のネットワークに関連し得、第１のネットワークは第２のネットワークとは異なる（たとえば、インターＰＬＭＮ発見プロシージャ）。発見スキャンプロシージャはＤ２Ｄ発見プロシージャであり得る。
【００７２】
[0086]いくつかの態様では、スキップ能力マネージャ７０５は、デバイス６０５−ａが発見スキャン間隔中に１つまたは複数のダウンリンク送信をスキップすることができるかどうかを、独立して決定し得る。他の態様では、スキップ能力マネージャ７０５は、デバイス６０５−ａが発見スキャン間隔中に１つまたは複数のダウンリンク送信をスキップすることができるかどうかのインジケーションを与える応答を、サービング基地局から受信し得る。
【００７３】
[0087]いくつかの態様では、発見スキャンプロシージャを実行することに関連するサービング基地局に送信された情報は、第２の周波数を含み得る。したがって、第２の周波数を送るデバイス６０５−ａは、デバイス６０５−ａが発見スキャン間隔中に１つまたは複数のダウンリンク送信をスキップすることを意図または所望するというインジケーションを、サービング基地局に与え得る。
【００７４】
[0088]いくつかの態様では、発見スキャンプロシージャを実行することに関連するサービング基地局に送信された情報は、発見スキャン間隔に関連するタイミング情報を含み得る。タイミング情報は、デバイス６０５−ａがサービング基地局からの１つまたは複数のダウンリンク送信をスキップし得る、１つまたは複数のサブフレームを示す識別情報を含み得る。たとえば、タイミング情報は、発見スキャン間隔がどのサブフレームを包含するかを示し得る。いくつかの例では、タイミング情報は、サービング基地局と告知ＵＥとの間のタイミング差に基づき得る。たとえば、スキップ能力マネージャ７０５は、サービング基地局と、発見スキャンプロシージャに関連する発見信号を送信するデバイスとの間の（たとえば、部分的に重複するサブフレームを考慮するための）タイミング差に基づいて、発見スキャン間隔のサブフレームを選択し得る。
【００７５】
[0089]いくつかの態様では、タイミング情報は、デバイス６０５−ａのチューニング時間を考慮し得る。たとえば、スキップ能力マネージャ７０５は、第２の周波数にチューンすることおよびそれからチューンアウェイすることに関連するタイミングパラメータを決定し、このパラメータを考慮すべきサブフレームを選択し得る。したがって、発見スキャン間隔は、いくつかの例では、第２の周波数にチューンするための時間と、発見スキャンプロシージャを実行するための時間と、第２の周波数からチューンアウェイするための時間とに基づく１つまたは複数のサブフレームを含み、サービング基地局と告知ＵＥとの間のタイミング差を考慮し得る。
【００７６】
[0090]発見スキャンマネージャ７１０は、デバイス６０５−ａのための発見スキャン動作の１つまたは複数の態様をモニタ、制御、または場合によっては管理し得る。たとえば、発見スキャンマネージャ７１０は第２の周波数にチューンし得る。説明されたように、デバイス６０５−ａは、デバイス６０５−ａが、基地局からの応答を受信することなしに、発見スキャン間隔中にダウンリンク送信をスキップすることができると決定し得る。したがって、発見スキャンマネージャ７１０は、発見スキャン間隔中に（または告知ＵＥのフレームタイミングを考慮する直前に）第２の周波数にチューンし得る。
【００７７】
[0091]別の例では、サービング基地局は、デバイス６０５−ａが発見スキャン間隔中に１つまたは複数のダウンリンク送信をスキップすることを可能にされるかどうかを示す応答を、デバイス６０５−ａに送り得る。いくつかの例では、応答は、デバイスがダウンリンク送信の一部分のみをスキップし得るというインジケーションを含み得る。応答は、たとえば、どのダウンリンク送信がスキップされ得るか、およびどのダウンリンク送信がスキップされ得ないかに関連するビットマップを含み得る。したがって、発見スキャンマネージャ７１０は、サービング基地局によって許可されたときに発見スキャン間隔中に、およびダウンリンク送信のスキップ可能部分中に第２の周波数にチューンし得る。
【００７８】
[0092]ダウンリンクリソーススキップマネージャ７１５は、デバイス６０５−ａのためのダウンリンク送信をスキップする１つまたは複数の態様をモニタ、制御、または場合によっては管理し得る。たとえば、ダウンリンクリソーススキップマネージャ７１５は、発見スキャン間隔中に１つまたは複数のダウンリンク送信をスキップする態様を管理し得る。説明されたように、デバイス６０５−ａは、スキップ能力を自律的に識別し得、ダウンリンクリソーススキップマネージャ７１５は、発見スキャン間隔中にダウンリンク送信をスキップし得る。他の例では、ダウンリンクリソーススキップマネージャ７１５は、サービング基地局によって許可されたときにおよびそれによって命令されたように、スキャン間隔中にダウンリンク送信の全部または一部をスキップし得る。たとえば、サービング基地局からの応答は、発見スキャン間隔中に１つまたは複数のダウンリンク送信の第１の部分をスキップすることと、発見スキャン間隔中に１つまたは複数のダウンリンク送信の第２の部分を受信することとを許可し得る。応答は、ダウンリンク送信のどの部分がスキップされ得るか、およびどの部分がスキップされ得ないか、すなわち、受信されるべきであるかに関連するビットマップを含み得る。ダウンリンクリソーススキップマネージャ７１５は、ダウンリンク送信の許可された部分をスキップすることを管理し得る。
【００７９】
[0093]図８は、本開示の様々な態様による、ワイヤレス通信において使用するためのユーザ機器１１５−ｅを含むシステム８００の部分のブロック図を示す。いくつかの例では、ＵＥ１１５−ｅは、図１〜図５に関して説明されたＵＥ１１５（たとえば、モニタＵＥ）、および／または図６および図７のデバイス６０５の一例であり得る。ＵＥ１１５−ｅは、図６および図７に関して説明されたＵＥ発見マネージャ６１５の一例であり、それの機能を実行し得る、ＵＥ発見マネージャ６１５−ｂを含み得る。ＵＥ１１５−ｅは、通信を送信するための構成要素と通信を受信するための構成要素とを含む、双方向音声およびデータ通信のための構成要素を含み得る。たとえば、ＵＥ１１５−ｅは、基地局および／または他のＵＥと双方向に通信し得る。
【００８０】
[0094]ＵＥ１１５−ｅは、プロセッサ８０５と、（たとえば、ソフトウェア（ＳＷ）を含む）８２０メモリ８１５と、トランシーバ８３５と、１つまたは複数のアンテナ８４０とを含み得、それらの各々は、（たとえば、バス８４５を介して）互いと直接または間接的に通信し得る。トランシーバ８３５は、上記で説明されたように、（１つまたは複数の）アンテナ８４０あるいはワイヤードリンクまたはワイヤレスリンクを介して、１つまたは複数のネットワークと双方向に通信し得る。たとえば、トランシーバ８３５は、基地局または別のＵＥと双方向に通信し得る。トランシーバ８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｅは単一のアンテナ８４０を含み得るが、ＵＥ１１５−ｅはまた、複数のワイヤレス送信を同時に送信または受信することが可能な複数のアンテナ８４０を有し得る。
【００８１】
[0095]メモリ８１５は、ランダムアクセスメモリ（ＲＡＭ）および読取り専用メモリ（ＲＯＭ）を含み得る。メモリ８１５は、実行されたとき、プロセッサ８０５に本明細書で説明される様々な機能（たとえば、Ｄ２Ｄ発見プロシージャのためのシグナリングプロトコルなど）を実行させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに本明細書で説明される機能を実行させ得る。プロセッサ８０５は、インテリジェントハードウェアデバイス（たとえば、中央処理ユニット（ＣＰＵ）、マイクロコントローラ、ＡＳＩＣなど）を含み得る。
【００８２】
[0096]ＵＥ発見マネージャ６１５−ｂは、ＵＥ１１５−ｅのためのＤ２Ｄ発見動作のためのシグナリングプロトコルに関係する図１〜図７を参照しながら説明された特徴および／または機能の一部または全部を実行および／または制御するように構成され得る。いくつかの例では、ＵＥ発見マネージャ６１５−ｂは、第１の周波数帯域中の第１の周波数を使用してサービング基地局と通信し、発見スキャン間隔中に第２の周波数帯域中の第２の周波数上で、発見スキャンプロシージャを実行することに関連する情報をサービング基地局に送信し（第１の周波数は第２周波数とは異なる）、発見スキャン間隔中にサービング基地局からの１つまたは複数のダウンリンク送信をスキップする能力を識別し得る。ＵＥ発見マネージャ６１５−ｂ、またはそれの部分は、プロセッサを含み得、ならびに／あるいは、ＵＥ発見マネージャ６１５−ｂの機能の一部または全部は、プロセッサ８０５によっておよび／またはプロセッサ８０５とともに実行され得る。いくつかの例では、ＵＥ発見マネージャ６１５−ｂは、図６、および／または図７を参照しながら説明されたＵＥ発見マネージャ６１５の一例であり得る。たとえば、ＵＥ発見マネージャ６１５−ｂは、スキップ能力マネージャ７０５−ａ、発見スキャンマネージャ７１０−ａ、および／またはダウンリンクリソーススキップマネージャ７１５−ａを含み得、それらは、それぞれ、図７を参照しながら説明されたスキップ能力マネージャ７０５、発見スキャンマネージャ７１０、および／またはダウンリンクリソーススキップマネージャ７１５の例であり、それらの機能を実行し得る。
【００８３】
[0097]図９は、本開示の様々な態様による、ワイヤレス通信において使用するための装置９０５のブロック図９００を示す。いくつかの例では、装置９０５は、図１〜図５を参照しながら説明された基地局１０５のうちの１つまたは複数の態様の一例であり得る。装置９０５は、モニタＵＥ１１５のためのサービング基地局であり得る。いくつかの例では、装置９０５は、ＬＴＥ／ＬＴＥ−Ａ  ｅＮＢおよび／またはＬＴＥ／ＬＴＥ−Ａ基地局の一部であるか、またはそれを含み得る。装置９０５はまた、プロセッサであり得る。装置９０５は、受信機９１０、基地局発見マネージャ９１５、および／または送信機９２０を含み得る。これらのモジュールの各々は互いと通信していることがある。
【００８４】
[0098]装置９０５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００８５】
[0099]いくつかの例では、受信機９１０は、Ｄ２Ｄ発見動作に関連する様々なシグナリングプロトコルを受信するように動作可能な無線周波数（ＲＦ）受信機など、少なくとも１つのＲＦ受信機を含み得る。受信機９１０は、図１を参照しながら説明されたワイヤレス通信システム１００の１つまたは複数の通信リンクなど、ワイヤレス通信システムの１つまたは複数の通信リンク上で様々なタイプのデータおよび／または制御信号（すなわち、送信）を受信するために使用され得る。
【００８６】
[0100]いくつかの例では、送信機９２０は、Ｄ２Ｄ発見プロシージャに関連する様々なシグナリングプロトコルを送信するように動作可能な少なくとも１つのＲＦ送信機など、少なくとも１つのＲＦ送信機を含み得る。送信機９０は、図１を参照しながら説明されたワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。
【００８７】
[0101]基地局発見マネージャ９１５は、装置９０５のためのＤ２Ｄ発見動作のためのシグナリングプロトコルの１つまたは複数の態様をモニタ、制御、または場合によっては管理し得る。たとえば、基地局発見マネージャ９１５は、第１の周波数帯域中の第１の周波数を使用してＵＥと通信する態様を管理し得る。基地局発見マネージャ９１５は、発見スキャン間隔中に第２の周波数帯域中の第２の周波数上で、ＵＥが発見スキャンプロシージャを実行することに関連する情報をＵＥから受信する態様を管理し得、第２の周波数は第１の周波数とは異なる。基地局発見マネージャ９１５は、ＵＥが発見スキャン間隔中に１つまたは複数のダウンリンク送信をスキップすることを可能にされるかどうかを示す応答を、ＵＥに送る態様を管理し得る。たとえば、基地局発見マネージャ９１５は、ＵＥが発見スキャンプロシージャ中に１つまたは複数のダウンリンク送信をスキップすることができるかどうかを決定し得る。
【００８８】
[0102]いくつかの態様では、基地局発見マネージャ９１５は、ＵＥが発見スキャン間隔中に１つまたは複数のダウンリンク送信をスキップすることが可能であることを示す能力メッセージを、ＵＥから受信する態様を管理し得る。能力メッセージは、ＵＥがダウンリンク送信をスキップすることをサポートすることができるかどうかを示し得る。
【００８９】
[0103] いくつかの態様では、基地局発見マネージャ９１５は、ＵＥが発見スキャン間隔中にスキップすることを可能にされる１つまたは複数のダウンリンク送信の第１の部分を識別し、および／またはＵＥが発見スキャン間隔中にスキップすることを可能にされない１つまたは複数のダウンリンク送信の第２の部分を識別する応答の態様を管理し得る。一例では、応答は、発見スキャン間隔中にどのダウンリンク送信がスキップされ得るか、およびどのダウンリンク送信がスキップされ得ないかを示す、ビットマップ（たとえば、１および０）を含み得る。
【００９０】
[0104]いくつかの態様では、基地局発見マネージャ９１５は、ＵＥから発見スキャン間隔に関連するタイミング情報を受信する態様を管理し得る。タイミング情報は、（１つまたは複数の）どのサブフレームが発見スキャン間隔に関連するか、たとえば、ＵＥが発見スキャンプロシージャをどのサブフレーム実行し得るかを識別する情報を含み得る。
【００９１】
[0105]図１０は、本開示の態様による、ワイヤレス通信において使用するための基地局１０５−ｅ（たとえば、ｅＮＢの一部または全部を形成する基地局）のブロック図１０００を示す。いくつかの例では、基地局１０５−ｅは、図１〜図５を参照しながら説明された基地局１０５のうちの１つまたは複数の態様、および／または図９を参照しながら説明されたように、基地局として構成されたときの装置９０５のうちの１つまたは複数の態様の一例であり得る。基地局１０５−ｅは、図１〜図９を参照しながら説明された基地局および／または装置の特徴ならびに機能のうちの少なくともいくつかを実装するかまたは可能にするように構成され得る。
【００９２】
[0106]基地局１０５−ｅは、基地局プロセッサ１０１０、基地局メモリ１０２０、（基地局トランシーバ１０５０によって表される）少なくとも１つの基地局トランシーバ、（（１つまたは複数の）基地局アンテナ１０５５によって表される）少なくとも１つの基地局アンテナ、および／または基地局発見マネージャ９１５−ａを含み得る。基地局１０５−ｅは、基地局通信マネージャ１０３０および／またはネットワーク通信マネージャ１０４０のうちの１つまたは複数をも含み得る。これらのモジュールの各々は、１つまたは複数のバス１０３５上で、直接または間接的に互いと通信していることがある。
【００９３】
[0107]基地局メモリ１０２０は、ランダムアクセスメモリ（ＲＡＭ）および／または読取り専用メモリ（ＲＯＭ）を含み得る。基地局メモリ１０２０は、実行されたとき、基地局プロセッサ１０１０に、ワイヤレス通信に関係する本明細書で説明される様々な機能を実行させる（たとえば、ワイヤレス通信システムにおけるＤ２Ｄ発見動作のためのシグナリングプロトコルを実行させるなど）ように構成された命令を含んでいるコンピュータ可読、コンピュータ実行可能ソフトウェア／ファームウェアコード１０２５を記憶し得る。代替的に、コンピュータ可読、コンピュータ実行可能ソフトウェア／ファームウェアコード１０２５は、基地局プロセッサ１０１０によって直接的に実行可能でないことがあるが、（たとえば、コンパイルされ、実行されたとき）本明細書で説明される機能のうちのいくつかを基地局１０５−ｅに実行させるように構成され得る。
【００９４】
[0108]基地局プロセッサ１０１０は、インテリジェントハードウェアデバイス、たとえば、中央処理ユニット（ＣＰＵ）、マイクロコントローラ、ＡＳＩＣなどを含み得る。基地局プロセッサ１０１０は、基地局トランシーバ１０５０、基地局通信マネージャ１０３０、および／またはネットワーク通信マネージャ１０４０を通して受信された情報を処理し得る。基地局プロセッサ１０１０はまた、（１つまたは複数の）アンテナ１０５５を通した送信のために基地局トランシーバ１０５０に送られるべき情報、１つまたは複数の他の基地局１０５−ｆおよび１０５−ｇへの送信のために基地局通信マネージャ１０３０に送られるべき情報、ならびに／または図１を参照しながら説明されたコアネットワーク１３０の１つまたは複数の態様の一例であり得る、コアネットワーク１０４５への送信のためにネットワーク通信マネージャ１０４０に送られるべき情報を処理し得る。基地局プロセッサ１０１０は、単独でまたは基地局発見マネージャ９１５−ａとともに、基地局１０５−ｅのためのＤ２Ｄ発見動作に関連するシグナリングプロトコルの様々な態様を処理し得る。
【００９５】
[0109]基地局トランシーバ１０５０は、パケットを変調し、変調されたパケットを送信のために（１つまたは複数の）基地局アンテナ１０５５に与え、（１つまたは複数の）基地局アンテナ１０５５から受信されたパケットを復調するように構成されたモデムを含み得る。基地局トランシーバ１０５０は、いくつかの例では、１つまたは複数の基地局送信機モジュールおよび１つまたは複数の別個の基地局受信機モジュールとして実装され得る。基地局トランシーバ１０５０は、第１の無線周波数スペクトル帯域および／または第２の無線周波数スペクトル帯域における通信をサポートし得る。基地局トランシーバ１０５０は、（１つまたは複数の）アンテナ１０５５を介して、図１を参照しながら説明されたＵＥ１１５のうちの１つまたは複数など、１つまたは複数のＵＥまたはデバイスと双方向に通信するように構成され得る。基地局１０５−ｅは、たとえば、複数の基地局アンテナ１０５５（たとえば、アンテナアレイ）を含み得る。基地局１０５−ｅは、ネットワーク通信マネージャ１０４０を通してコアネットワーク１０４５と通信し得る。基地局１０５−ｅはまた、基地局通信マネージャ１０３０を使用して、基地局１０５−ｆおよび１０５−ｇなど、他の基地局と通信し得る。
【００９６】
[0110]基地局発見マネージャ９１５−ａは、基地局１０５−ｅのためのＤ２Ｄ発見動作に関連するシグナリングプロトコルに関係する図１〜図９を参照しながら説明された特徴および／または機能の一部または全部を実行および／または制御するように構成され得る。いくつかの例では、基地局発見マネージャ９１５−ａは、第１の周波数帯域中の第１の周波数を使用してＵＥと通信する態様を管理し得る。基地局発見マネージャ９１５−ａは、発見スキャン間隔中に第２の周波数帯域中の第２の周波数上で、ＵＥが発見スキャンプロシージャを実行することに関連する情報をＵＥから受信する態様を管理し得、第２の周波数は第１の周波数とは異なる。基地局発見マネージャ９１５−ａは、ＵＥが発見スキャン間隔中に１つまたは複数のダウンリンク送信をスキップすることを可能にされるかどうかを示す応答を、ＵＥに送る態様を管理し得る。基地局発見マネージャ９１５−ａ、またはそれの部分は、プロセッサを含み得、ならびに／あるいは、基地局発見マネージャ９１５−ａの機能の一部または全部は、基地局プロセッサ１０１０によっておよび／または基地局プロセッサ１０１０とともに実行され得る。いくつかの例では、基地局発見マネージャ９１５−ａは、図９を参照しながら説明された基地局発見マネージャ９１５の一例であり得る。
【００９７】
[0111]図１１は、本開示の様々な態様による、ワイヤレス通信のための方法１１００を示すフローチャートを示す。方法１１００の動作は、図１〜図８を参照しながら説明されたように、ＵＥ１１５またはそれの構成要素によって、および／あるいはデバイス６０５によって実装され得る。たとえば、方法１１００の動作は、図６〜図８を参照しながら説明されたように、ＵＥ発見マネージャ６１５によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。便宜上、方法１１００の機能は、モニタＵＥ１１５など、ＵＥに関して説明される。
【００９８】
[0112]ブロック１１０５において、方法１１００は、ＵＥが、第１の周波数範囲中の第１の周波数を使用してサービング基地局と通信することを含み得る。ＵＥは、ＵＥがＲＲＣ＿ｃｏｎｎｅｃｔｅｄモードにあるアクティブ通信セッション中にサービング基地局と通信していることがある。通信セッションは、ＵＥがサービング基地局から１つまたは複数のダウンリンク送信を受信することに関連し得る。
【００９９】
[0113]ブロック１１１０において、方法１１００は、ＵＥが、発見スキャン間隔中に第２の周波数帯域中の第２の周波数上で、発見スキャンプロシージャを実行することに関連する情報をサービング基地局に送信することを含み得る。第２の周波数は第１の周波数とは異なり得る。送信された情報は、第２の周波数のインジケーションを含み得る。いくつかの例では、発見スキャンプロシージャは、サービング基地局と発見信号をブロードキャストする告知ＵＥとが異なるキャリアまたはネットワークプロバイダに関連し得る、インターＰＬＭＮ  Ｄ２Ｄ発見スキャンプロシージャであり得る。
【０１００】
[0114]ブロック１１１５において、方法１１００は、ＵＥが、発見スキャン間隔中にサービング基地局からの１つまたは複数のダウンリンク送信をスキップする能力を識別することを含み得る。ＵＥは、自律的におよび／またはサービング基地局との通信に基づいて、スキップ能力を識別し得る。
【０１０１】
[0115]ブロック１１０５、１１１０、および／または１１１５における（１つまたは複数の）動作は、図６〜図８を参照しながら説明されたＵＥ発見マネージャ６１５を使用して実行され得る。
【０１０２】
[0116]したがって、方法１１００はワイヤレス通信を提供し得る。方法１１００は一実装形態にすぎないこと、および方法１１００の動作は、他の実装形態が可能であるように、並べ替えられるかまたは場合によっては変更され得ることに留意されたい。
【０１０３】
[0117]図１２は、本開示の様々な態様による、ワイヤレス通信のための方法１２００を示すフローチャートを示す。方法１２００の動作は、図１〜図８を参照しながら説明されたように、ＵＥ１１５またはそれの構成要素によって、および／あるいはデバイス６０５によって実装され得る。たとえば、方法１２００の動作は、図６〜図８を参照しながら説明されたように、ＵＥ発見マネージャ６１５によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。便宜上、方法１２００の機能は、モニタＵＥ１１５など、ＵＥに関して説明される。
【０１０４】
[0118]ブロック１２０５において、方法１２００は、ＵＥが、第１の周波数範囲中の第１の周波数を使用してサービング基地局と通信することを含み得る。ＵＥは、ＵＥがＲＲＣ＿ｃｏｎｎｅｃｔｅｄモードにあるアクティブ通信セッション中にサービング基地局と通信していることがある。通信セッションは、ＵＥがサービング基地局から１つまたは複数のダウンリンク送信を受信することに関連し得る。
【０１０５】
[0119]ブロック１２１０において、方法１２００は、ＵＥが、発見スキャン間隔中に第２の周波数帯域中の第２の周波数上で、発見スキャンプロシージャを実行することに関連する情報をサービング基地局に送信することを含み得る。第２の周波数は第１の周波数とは異なり得る。送信された情報は、第２の周波数のインジケーションを含み得る。いくつかの例では、発見スキャンプロシージャは、サービング基地局と発見信号をブロードキャストする告知ＵＥとが異なるキャリアまたはネットワークプロバイダに関連し得る、インターＰＬＭＮ  Ｄ２Ｄ発見スキャンプロシージャであり得る。
【０１０６】
[0120]ブロック１２１５において、方法１２００は、ＵＥが、発見スキャン間隔中にサービング基地局からの１つまたは複数のダウンリンク送信をスキップする能力を識別することを含み得る。ＵＥは、自律的にスキップ能力を識別し得、ブロック１２２０において、発見スキャン間隔中に第２の周波数にチューンする。すなわち、ＵＥは、サービング基地局からの入力なしに発見スキャン間隔中に１つまたは複数のダウンリンク送信をスキップすることをサポートし得る。ＵＥは、受信チェーンを第２の周波数にチューンし得る。
【０１０７】
[0121]ブロック１２２５において、方法１２００は、ＵＥが、発見スキャン間隔中にサービング基地局からの１つまたは複数の送信をスキップすることを含み得る。受信チェーンを第２の周波数にチューンすることは、ＵＥがサービング基地局からの１つまたは複数のダウンリンク送信をスキップすることを生じ得る。
【０１０８】
[0122]ブロック１２０５、１２１０、１２１５、１２２０、および／または１２２５における（１つまたは複数の）動作は、図６〜図８を参照しながら説明されたＵＥ発見マネージャ６１５を使用して実行され得る。
【０１０９】
[0123]したがって、方法１２００はワイヤレス通信を提供し得る。方法１２００は一実装形態にすぎないこと、および方法１２００の動作は、他の実装形態が可能であるように、並べ替えられるかまたは場合によっては変更され得ることに留意されたい。
【０１１０】
[0124]図１３は、本開示の様々な態様による、ワイヤレス通信のための方法１３００を示すフローチャートを示す。方法１３００の動作は、図１〜図８を参照しながら説明されたように、ＵＥ１１５またはそれの構成要素によって、および／あるいはデバイス６０５によって実装され得る。たとえば、方法１３００の動作は、図６〜図８を参照しながら説明されたように、ＵＥ発見マネージャ６１５によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。便宜上、方法１３００の機能は、モニタＵＥ１１５など、ＵＥに関して説明される。
【０１１１】
[0125]ブロック１３０５において、方法１３００は、ＵＥが、第１の周波数範囲中の第１の周波数を使用してサービング基地局と通信することを含み得る。ＵＥは、ＵＥがＲＲＣ＿ｃｏｎｎｅｃｔｅｄモードにあるアクティブ通信セッション中にサービング基地局と通信していることがある。通信セッションは、ＵＥがサービング基地局から１つまたは複数のダウンリンク送信を受信することに関連し得る。
【０１１２】
[0126]ブロック１３１０において、方法１３００は、ＵＥが、発見スキャン間隔中に第２の周波数帯域中の第２の周波数上で、発見スキャンプロシージャを実行することに関連する情報をサービング基地局に送信することを含み得る。第２の周波数は第１の周波数とは異なり得る。送信された情報は、第２の周波数のインジケーションを含み得る。いくつかの例では、発見スキャンプロシージャは、サービング基地局と発見信号をブロードキャストする告知ＵＥとが異なるキャリアまたはネットワークプロバイダに関連し得る、インターＰＬＭＮ  Ｄ２Ｄ発見スキャンプロシージャであり得る。
【０１１３】
[0127]ブロック１３１５において、方法１３００は、ＵＥが、発見スキャン間隔中にサービング基地局からの１つまたは複数のダウンリンク送信をスキップする能力を識別することを含み得る。たとえば、ブロック１３２０において、ＵＥは、サービング基地局から応答を受信し、サービング基地局から受信された応答に基づいてスキップ能力を識別し得る。応答は、ＵＥが、発見スキャン間隔中にサービング基地局からのすべてのダウンリンク送信をスキップすることを可能にされるというインジケーション、それらの一部分をスキップすることを可能にされるというインジケーション、および／またはそれらのいずれをもスキップすることを可能にされないというインジケーションを与え得る。すなわち、ＵＥは、サービング基地局から受信された入力に少なくとも部分的に基づいて、発見スキャン間隔中に１つまたは複数のダウンリンク送信をスキップすることをサポートし得る。
【０１１４】
[0128]ブロック１３２５において、方法１３００は、ＵＥが、受信された応答に少なくとも部分的に基づいて、発見スキャン間隔中にサービング基地局からの１つまたは複数の送信をスキップすることを含み得る。応答は、発見スキャン間隔中にダウンリンク送信のどの部分がスキップされ得るか、およびダウンリンク送信のどの部分がスキップされ得ないかを示す情報を含み得る。
【０１１５】
[0129]ブロック１３０５、１３１０、１３１５、１３２０、および／または１３２５における（１つまたは複数の）動作は、図６〜図８を参照しながら説明されたＵＥ発見マネージャ６１５を使用して実行され得る。
【０１１６】
[0130]したがって、方法１３００はワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１１７】
[0131]図１４は、本開示の様々な態様による、ワイヤレス通信のための方法１４００を示すフローチャートを示す。方法１４００の動作は、それぞれ、図１〜図５および図９〜図１０を参照しながら説明されたように、基地局１０５またはそれの構成要素によって、および／あるいは装置９０５によって実装され得る。たとえば、図１４００の動作は、図９〜図１０を参照しながら説明されたように、基地局発見マネージャ９１５によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。便宜上、方法１４００の機能は、モニタＵＥのサービング基地局など、基地局に関して説明される。
【０１１８】
[0132]ブロック１４０５において、方法１４００は、基地局が、第１の周波数範囲中の第１の周波数を使用してＵＥと通信することを含み得る。基地局は、ＵＥがＲＲＣ＿ｃｏｎｎｅｃｔｅｄモードにあるアクティブ通信セッション中にＵＥと通信していることがある。通信セッションは、ＵＥが基地局から１つまたは複数のダウンリンク送信を受信することに関連し得る。
【０１１９】
[0133]ブロック１４１０において、方法１４００は、基地局が、発見スキャン間隔中に第２の周波数帯域中の第２の周波数上で、ＵＥが発見スキャンプロシージャを実行することに関連する情報をＵＥから受信することを含み得る。第２の周波数は第１の周波数とは異なり得る。受信された情報は、第２の周波数のインジケーションを含み得る。いくつかの例では、発見スキャンプロシージャは、基地局と発見信号をブロードキャストする告知ＵＥとが異なるキャリアまたはネットワークプロバイダに関連し得る、インターＰＬＭＮ  Ｄ２Ｄ発見スキャンプロシージャであり得る。
【０１２０】
[0134]ブロック１４１５において、方法１４００は、基地局が、ＵＥが発見スキャン間隔中に１つまたは複数のダウンリンク送信をスキップすることを可能にされるかどうかを示す応答を、ＵＥに送ることを含み得る。たとえば、基地局は、発見スキャン間隔中に基地局からの１つまたは複数のダウンリンク送信をスキップするＵＥの能力を識別し得る。部分スキップ（partial-skip）シナリオにおいて、応答は、発見スキャン間隔中にスキップされ得るダウンリンク送信の第１の部分およびスキップされ得ないダウンリンク送信の第２の部分のインジケーションを与え得る。
【０１２１】
[0135]ブロック１４０５、１４１０、および／または１４１５における（１つまたは複数の）動作は、図９〜図１０を参照しながら説明された基地局発見マネージャ９１５を使用して実行され得る。
【０１２２】
[0136]したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１２３】
[0137]いくつかの例では、方法１１００〜１４００のうちの２つまたはそれ以上からの態様が組み合わせられ得る。方法１１００、１２００などは例示的な実装形態にすぎないこと、および方法１１００〜１４００の動作は、他の実装形態が可能であるように、並べ替えられるかまたは場合によっては変更され得ることに留意されたい。
【０１２４】
[0138]本明細書で説明された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１２５】
[0139]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０１２６】
[0140]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２７】
[0141]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１２８】
[0142]本明細書で説明された機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態が、本開示および添付の特許請求の範囲および趣旨内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１２９】
[0143]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１３０】
[0144]本開示についての以上の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2018513619.tif 000003
【図２】
2018513619.tif 000004
【図３】
2018513619.tif 000005
【図４】
2018513619.tif 000006
【図５】
2018513619.tif 000007
【図６】
2018513619.tif 000008
【図７】
2018513619.tif 000009
【図８】
2018513619.tif 000010
【図９】
2018513619.tif 000011
【図１０】
2018513619.tif 000012
【図１１】
2018513619.tif 000013
【図１２】
2018513619.tif 000014
【図１３】
2018513619.tif 000015
【図１４】
2018513619.tif 000016
【国際調査報告】
2018513619.tif 000017
2018513619.tif 000018
2018513619.tif 000019
2018513619.tif 000020